(57)【特許請求の範囲】
【請求項１】
ストラップ用保持具において、
第一の柱状要素端部と第二の柱状要素端部とを備えていて長手方向軸線に沿って形成された柱状要素と、
第一のストラップ端部と第二のストラップ端部とを備えたストラップ要素とを有し、
前記第一の柱状要素端部は前記第一のストラップ端部に固定されており、
前記第二の柱状要素端部は前記長手方向軸線に対して平行に延びる移動止め用チャネルを有しており、
前記移動止め用チャネルは少なくとも一つの移動止め用突出部を備えた第一の移動止め要素を有しており、
前記第二のストラップ端部は移動止め用延長部を有しており、
前記移動止め用延長部は横方向の移動止め用傾斜面を備えた第二の移動止め要素を有しており、
少なくとも一つの前記移動止め用突出部は、前記移動止め用延長部を前記移動止め用チャネル内に最初に挿入するときに前記移動止め用延長部を撓ませるための前方傾斜部と、前記移動止め用延長部の前記第二の移動止め要素を移動不能に係合させるための後方傾斜部とを有しており、
前記移動止め用延長部が前側傾斜面を有しており、前記移動止め用延長部を前記移動止め用チャネル内に最初に挿入するときに該前側傾斜面によって前記移動止め用延長部は前記前方傾斜部上に乗り上げられるようになっており、
さらに、
前記移動止め用延長部に対して平行な少なくとも一つの安定化用延長部と、
前記移動止め用チャネルに対して平行な少なくとも一つの前記安定化用延長部を受容するための少なくとも一つの安定化用チャネルと、を具備し、
前記移動止め用延長部が前記移動止め用チャネル内に挿入されると、前記第一の移動止め要素が前記第二の移動止め要素に移動不能に係合されるストラップ用保持具。
【請求項２】
前記移動止め用延長部が前記前方傾斜部に乗り上げた後に、前記移動止め用延長部を撓みのない移動止め位置までさらに付勢するときに、少なくとも一つの前記安定化用チャネル内の少なくとも一つの前記安定化用延長部は、前記第二のストラップ端部が横方向に撓むことを妨げている請求項１に記載のストラップ用保持具。
【請求項３】
前記移動止め用延長部が二つの安定化用延長部の間に形成されていてこれら安定化用突出部に対して平行であり、前記移動止め用チャネルが二つの安定化用チャネルの間に形成されていてこれら安定化用チャネルに対して平行である請求項２に記載のストラップ用保持具。
【請求項４】
前記移動止め用チャネルが前記柱状要素の第一の側部に向かって開放しており、前記安定化用チャネルが前記柱状要素の第二の側部に向かって開放しており、前記第一の側部が前記第二の側部とは反対側に位置している請求項３に記載のストラップ用保持具。
【請求項５】
前記柱状要素から横方向外側に形成された比較的平坦な平坦部分をさらに有している請求項４に記載のストラップ用保持具。
【発明の詳細な説明】
【０００１】
【発明の属する技術分野】
本発明は、ストラップ用保持具、例えば幼児用シートベルトをショッピングカートに固定するために、または他の類似の適用例に使用されるストラップ用保持具に関する。
【０００２】
【従来の技術】
従来技術においては、ナイロン製シートベルト式の幼児防護装置（ｃｈｉｌｄｒｅｓｔｒａｉｎｔ  ａｐｐａｒａｔｕｓ）を食料品用カートまたは類似の乗物に固定して、ショッピングカートに乗っている幼児の安全性を確保することは周知である。そのような幼児防護装置は、偶発的に外れる適度な可能性を伴うこと無しにショッピングカートに安全に取り付けられる。そのような適用例に関するシートベルトまたは安全用ストラップの実施例は、ウッド（Ｗｏｏｄ）に対して１９９３年１１月２３日に発行された「ショッピングカートのシート用の幼児防護用ストラップ（Ｃｈｉｌｄ  Ｒｅｓｔｒａｉｎｔ  Ｓｔｒａｐ  ｆｏｒ  ａＳｈｏｐｐｉｎｇ  Ｃａｒｔ  Ｓｅａｔ）」と称する米国特許第５２６３７２６号明細書に開示されている。
【０００３】
【発明が解決しようとする課題】
しかしながら、シートベルトをキャリッジに取り付けることは複数の観点において危険である。ナイロン製ウェブが金属製部品に擦り付けられることによってナイロン製ウェブが引き裂かれるかまたは損傷を受ける場合があるので、ナイロン製ウェブのベルトを金属製部品、例えばキャリッジまたは取付部材に擦り付けることができない。このような懸念によって、そのような取付部材、例えば金属製リング（例えば、鍵輪構造）またはグロメットが望ましくないものになる。さらに、取付部材は単純でかつ簡単であって、好ましくは部位において要求される工具が必要とされないように設置できる必要がある。取付部材は、取付部分を損傷させうるロック用構成要素の露出部分が存在していないように形成するべきである。同様に、露出されたロック用構成要素によって、食料、泥または同様な材料が蓄積されうる裂け目（ｃｒｅｖｉｃｅｓ）がしばしば形成される。
【０００４】
フラノ（Ｆｒａｎｏ）、ジャンパブロ（Ｇｉａｍｐａｖｏｌｏ）およびシップ（Ｓｉｐｐ）に１９９７年９月２３日に発行された「ストラップ用保持具（Ｓｔｒａｐ  Ｒｅｔａｉｎｅｒ）」と称する米国特許第５６６９１１８号明細書は、多数の観点においてほぼ安全な保持具を開示しているが、さらに改良することが望まれている。
【０００５】
【課題を解決するための手段】
それゆえ、本発明の目的は、シートベルトを食料品用カートまたは類似の装置に安全かつ恒久的に取り付ける幼児用シートベルトの取付部材またはストラップ用保持具を提供することである。
それゆえ、本発明の追加の目的は、幼児用シートベルトのウェブが、食料品用カートまたは類似の装置の取付点において金属部品に擦り付けられないという、幼児用シートベルトの取付部材またはストラップ用保持具を提供することである。
【０００６】
それゆえ、本発明の別の目的は、単純かつ簡単に設置できる幼児用シートベルトの取付部材またはストラップ用保持具を提供することである。
それゆえ、本発明のさらに追加の目的は、工具を使用することなしに部位に設置できる幼児用シートベルトの取付部材またはストラップ用保持具を提供することである。
【０００７】
それゆえ、本発明のさらに追加の目的は、設置状態におけるロック用構成要素および／または裂け目が最小限である幼児用シートベルトの取付部材またはストラップ用保持具を提供することである。
それゆえ、本発明の最終的な目的は、干渉作用（ｔａｍｐｅｒｉｎｇ）に対して抵抗する幼児用シートベルトの取付部材またはストラップ用保持具を提供することである。
【０００８】
これらの目的および他の目的は、プラスチックから形成されていて一体的な横方向縫い付け用タブを備えた比較的剛胆な柱状要素を含む取付部材またはストラップ用保持具によって達成される。ナイロン製ウェブのシートベルトは柱状要素周りにループを形成して、積込物を部位に設置する前に、典型的には縫い付け用タブに縫い付けられる。可撓性ループ形成要素の第一の端部は柱状要素の第一の端部に一体的に形成されている。可撓性ループ形成要素の第二の端部は二つの平行な安定化用延長部と中心移動止め用延長部とを有している。柱状要素の第二の端部は、二つの平行な安定化用延長部と中心移動止め用延長部とをそれぞれ受容するために二つの長手方向安定化用チャネルと中心移動止め用チャネルとを有している。中心移動止め用延長部は、中心移動止め用チャネル内の相補形状の移動止め用傾斜面に移動不能に係合（ｄｅｔｅｎｔ  ｅｎｇａｇｅ）するための横方向の傾斜翼状部を有しており、その結果、柱状要素の各端部に対して両端部において可撓性ループ形成要素を接合させる。ショッピングカートまたは同様の乗物の一部分は典型的には内側において係合される。
【０００９】
【発明の実施の形態】
本発明の追加の目的および追加の利点は、以下の説明および特許請求の範囲、ならびに添付図面から明らかになるであろう。
同様の参照番号は同様の要素を示している図面を詳細に参照すると、図１は開放位置またはロック解除位置における本発明のストラップ用保持具１０の斜視図である。ストラップ用保持具１０は成形プラスチックから一体的に形成されていて、比較的剛性を有している柱状要素１２を有している。柱状要素１２は、長手方向軸線１４に沿って形成されていて、第一の端部１６と第二の端部１８とを含んでいる。横断方向にくり抜かれた経路２０が、柱状要素１２の第一の端部１６に隣接して内方に形成されている。平行な安定化用チャネル２２、２４が、柱状要素１２の第二の端部１８上に形成されていて、長手方向軸線１４に対して平行に内方に延びている。中心移動止め用チャネル２３は、平行な安定化用チャネル２２、２４の間に形成されていて、長手方向軸線１４に対して平行に内方に同様に延びている。平行な安定化用チャネル２２、２４は開放状態にある開放側部２５、２７を有しており、これら開放側部は中心移動止め用チャネル２３の開放側部２６とは反対側を向いている。言い換えれば、図１に示される向きにおいては、開放側部２６は上方を向いていて、開放側部２５、２７は下方を向いている。
平行な安定化用チャネル２２、２４は、開放側部２５、２７とは反対側を向いている閉鎖側部３０、３２を有している。言い換えれば、図１に示される向きにおいては、閉鎖側部３０、３２は上方を向いている。壁部３１が開放側部２５、２７の間に延びていて、その結果、中心移動止め用チャネル２３の開放側部２６とは反対側に位置する中心移動止め用チャネル２３の部分的閉鎖側部３３を形成している。部分的閉鎖側部３３は下方を向いている。壁部３１は移動止め用突出部３４、３６によって形成される形状を有する移動止めを有している。さらに、移動止め用突出部３４、３６が、中心移動止め用チャネル２３を平行な安定化用チャネル２２、２４から隔てている壁部３７、３８上に形成されている。移動止め用突出部３４、３６は、中心移動止め用チャネル２３に挿入される相補形状の移動止め要素（後述する）を撓ませる前方傾斜部４０、４２と、移動止め用突出部３４、３６を通過して中心移動止め用チャネル２３内に挿入した後に相補形状の移動止め要素を係合させる後方傾斜部４４、４６とを有している。
【００１０】
縫い付け用タブ５０（ｓｅｗ−ｔａｂ）は柱状要素１２に対して横方向に形成されていてくり抜かれている。図４に示されるように、縫い付け用タブ５０は、柱状要素１２周りにループを形成した後に縫い付け線１０１に沿ってナイロン製ウェブ１００をタブ５０に縫い付けるのに使用される。これにより、ストラップ用保持具１０とナイロン製ウェブ１００とが単一部材として提供されると共に、ナイロン製ウェブ１００は、ショッピングカートまたは類似の構造物の金属製ワイヤ２００に擦り付けられることが妨げられる（図４を参照されたい）。
【００１１】
可撓性ストラップ５２は第一の端部５４と第二の端部５６とを有している。第一の端部５４は柱状要素１２の第一の端部１６と一体的になっている。外側リブ５５（図２を参照されたい）は可撓性ストラップ５２の第一の端部５４との交差部において柱状要素１２の第一の端部１６に沿って形成されている。外側リブ５５は使用者が把持することを目的としている。同様に、可撓性ストラップ５２の第二の端部５６は外側リブ５８を有している。さらに、平行な安定化用延長部６０、６２と中心移動止め用延長部６４とが可撓性ストラップ５２の第二の端部５６に形成されている。中心移動止め用延長部６４は、前側傾斜面６６と横方向の移動止め用傾斜面６８、７０とを有している。
【００１２】
図３および図４に示されるように、ストラップ用保持具１０のロック位置を確立するために、安定化用延長部６０、６２と中心移動止め用延長部６４とが、平行な安定化用チャネル２２、２４と中心移動止め用チャネル２３とにそれぞれ挿入される。中心移動止め用延長部６４を中心移動止め用チャネル２３内に挿入するときに、中心移動止め用延長部６４の前側傾斜面６６が移動止め用突出部３４、３６の前方傾斜部４０、４２に係合するので、中心移動止め用延長部６４が上方に撓むことによって、中心移動止め用延長部６４の前側傾斜面６６は移動止め用突出部３４、３６上に乗り上げさせられる。しかしながら、安定化用チャネル２２、２４内の安定化用延長部６０、６２によって、可撓性ストラップ５２の第二の端部５６が横方向に撓むことが妨げられる。中心移動止め用延長部６４の前側傾斜面６６が移動止め用突出部３４、３６上に乗り上げた後に、中心移動止め用延長部６４は、長手方向軸線１４に整列して後方にスナップ係合し、その結果、横方向の移動止め用傾斜面６８、７０を移動止め用後方傾斜部４４、４６に移動不能に係合させられる。
【００１３】
その結果、可撓性ストラップ５２はショッピングカートまたは類似の乗物のワイヤ２００に係合する。
図４に示されるように、結果的に形成されるロック位置、特にナイロン製ウェブ１００がストラップ用保持具１０周りにループを形成しているロック位置においては、ロック要素は露出されておらず、裂け目もほとんど存在していない。
【００１４】
従って、前述した複数の目的および利点は有効にほぼ達成される。本発明の単一の好ましい実施形態がここでは詳細に示されているが、本発明は特許請求の範囲に制限される範囲に制限されるものではないことが理解されるであろう。
【図面の簡単な説明】
【図１】開放位置またはロック解除位置における本発明のストラップ用保持具の斜視図である。
【図２】開放位置またはロック解除位置における本発明のストラップ用保持具の平面図である。
【図３】閉鎖位置またはロック位置における本発明のストラップ用保持具の平面図である。
【図４】閉鎖位置またはロック位置における本発明のストラップ用保持具の平面図であり、シートベルトまたは同様な装置のナイロン製ウェブおよび係合されたショッピングカートのワイヤの断面が仮想線で示されている。
【図５】閉鎖位置またはロック位置における本発明のストラップ用保持具の側面図である。
【符号の説明】
１０…ストラップ用保持具
１２…柱状要素
１４…長手方向軸線
１６…第一の端部
１８…第二の端部
２０…経路
２２…安定化用チャネル
２３…移動止め用チャネル
２４…安定化用チャネル
３１…壁部
３４…移動止め用突出部
３６…移動止め用突出部
４０…前方傾斜部
４４…後方傾斜部
５０…タブ
５２…可撓性ストラップ
５４…第一の端部
５６…第二の端部
６０…安定化用延長部
６２…安定化用延長部
６４…移動止め用延長部
６６…前側傾斜面
６８…移動止め用傾斜面
１００…ナイロン製ウェブ
２００…ワイヤ
【図１】
0004584431.tif 000002
【図２】
0004584431.tif 000003
【図３】
0004584431.tif 000004
【図４】
0004584431.tif 000005
【図５】
0004584431.tif 000006